(57)【要約】【課題】衛生的であると共に、ホール内の異常事態及び／又は所望の音楽を遊戯者に確実に伝えることができるホール用チェア及びホール管理システムを提供する。【解決手段】ホール用チェア１００は、ホール管理室８０からの信号であって、ホール内の異常事態を示す第１信号、及び／又は、音声情報を含む少なくとも１つのチャンネルを示す第２信号を受信する受信器７０と、遊戯者の姿勢を規制するための背部４０に設けられ、第１信号又は第２信号を音声に変換して出力するスピーカ１３ａ，１３ｂと、第１信号及び／又は第２信号を受信器７０が受信した場合に、第１信号を優先してスピーカに出力する制御部３１と、受信器７０が第１信号を受信した場合に、発光の点滅パターン及び／又は色により、遊戯者を誘導させるための誘導方向を変化させる発光部１０とを備えている。【選択図】        図１
2004321214.tif 000002
【特許請求の範囲】
【請求項１】
遊戯台が所定方向に複数配置されたホールで用いられ、前記遊戯台に対向して配置されるホール用チェアであって、
前記ホール内に設けられた送信器からの信号であって、前記ホール内の異常事態を示す第１信号、及び／又は、音声情報を含む少なくとも１つのチャンネルを示す第２信号を受信する受信器と、
前記第１信号又は前記第２信号を、音声に変換して出力するスピーカと、
前記第１信号及び／又は前記第２信号を前記受信器が受信した場合に、前記第１信号を優先して前記スピーカに出力する制御部と、
を備えたホール用チェア。
【請求項２】
請求項１に記載のホール用チェアにおいて、
遊戯者が着座するときに、遊戯者の姿勢を規制するための背部をさらに備え、
前記スピーカは、前記背部に設けられ、遊戯者に向かって音声を出力すること、
を特徴とするホール用チェア。
【請求項３】
請求項１又は請求項２に記載のホール用チェアにおいて、
電力を供給するための少なくとも１つのバッテリをさらに備え、
前記バッテリは、充電及び／又は着脱可能であること、
を特徴とするホール用チェア。
【請求項４】
請求項３に記載のホール用チェアにおいて、
前記バッテリは、遊戯者が着座するための座部の下端付近に設けられたこと、を特徴とするホール用チェア。
【請求項５】
請求項４に記載のホール用チェアにおいて、
前記座部に加わる荷重に応じて、その状態を変化させる荷重検出部をさらに備え、
前記制御部は、前記荷重検出部の状態の変化により、前記遊戯台の使用又は未使用を判定して、前記遊戯台が未使用の場合に、前記バッテリの消費電力を小さくすること、
を特徴とするホール用チェア。
【請求項６】
請求項３から請求項５までのいずれか１項に記載のホール用チェアにおいて、
前記制御部は、前記バッテリの充電状況に応じて、使用するバッテリを自動的に切替えること、
を特徴とするホール用チェア。
【請求項７】
請求項３から請求項６までのいずれか１項に記載のホール用チェアにおいて、
前記バッテリの充電状況に応じて、発光の点滅パターン及び／又は色を変化させる発光部をさらに備えたこと、
を特徴とするホール用チェア。
【請求項８】
請求項７に記載のホール用チェアにおいて、
前記発光部は、前記受信器が前記第１信号を受信した場合に、発光の点滅パターン及び／又は色により、遊戯者を誘導するための誘導方向を変化させること、を特徴とするホール用チェア。
【請求項９】
請求項１から請求項８までのいずれか１項に記載のホール用チェアにおいて、
前記第２信号のチャンネルを指示するためのチャンネル選択部と、前記チャンネル選択部により指示されたチャンネルを表示するための表示部と、を有する操作部をさらに備えたこと、
を特徴とするホール用チェア。
【請求項１０】
請求項１から請求項９までのいずれか１項に記載のホール用チェアが配置されたホールを管理するためのホール管理システムであって、
外部操作により前記第１信号を発生させるための切換部と、
前記第２信号を記憶すると共に、前記第１信号及び／又は前記第２信号を、前記送信器に出力する信号配信器と、
を備えたホール管理システム。
【発明の詳細な説明】
【０００１】
【発明の属する技術分野】
本発明は、パチンコ、パチスロ、その他のゲーム等の遊戯台が複数配置されたホール（集会場、大広間等）で用いられるホール用チェア及びホール管理システムに関するものである。
【０００２】
【従来の技術】
各種遊戯台が複数配置されたホールに来場した遊戯者は、所望の遊戯台に対向して配置されたチェアに着座して、遊戯を行う。遊戯台（パチンコ台等）は、所定方向（例えば、横方向）に連続してホール内に配置されている。
遊戯者は、長時間遊戯を行うときに、チェアに設けられた背部にもたれながら、所望の音楽を聞くことがある。遊戯者は、音楽を聞くことにより、リラックスして、遊戯を行うことができる。
また、多数の遊戯者が来場するホールでは、例えば、火災等の緊急事態に備えた各種の危機管理が必要であり、ホール管理者等からの場内アナウンス等が行われている。
【０００３】
所望の音楽又は場内アナウンス等の音声を、着座した遊戯者に伝えるためのチェア（シート）としては、例えば、航空機等に用いられる旅客用シートが知られている。
この航空機の旅客用シートは、ヘッドホン又はイヤホンを用いて所望の音声（オーディオ信号に対応）を聞くことができるシートであって、背部、座部及びパッドのいずれかの内部に、オーディオ信号の信号波形に追従する振動を発生させる振動ユニットを備えている。シートに着座した旅客者は、ヘッドホン又はイヤホンから音声を聞くと共に、振動ユニットから音声に追従した振動を体感することにより、例えば、遊戯（音楽、映像の鑑賞等）を快適に行うことができる（例えば、特許文献１参照）。
【０００４】
【特許文献１】
特開平８−１０４２９７号公報
【０００５】
【発明が解決しようとする課題】
しかし、上述した従来の旅客用シートでは、以下のような課題があった。
旅客者が所望の音声を聞く場合には、ヘッドホン又はイヤホンが必要であり、旅客者が使用したヘッドホン又はイヤホンは、例えば、衛生上の観点から消毒等を行うために、全て取り替える必要があった。
【０００６】
また、ホール内の状況によっては、以下のような課題があった。
所望の音楽等を聞いている遊戯者にとっては、ホール内の騒音は小さいことが好ましい。しかし、多数の遊戯者がホールに来場している場合には、ホール内は、密集した空間となってしまい、騒音が大きくなり、例えば、ホールの緊急事態を知らせるための場内アナウンス等が聞こえない場合があった。
【０００７】
本発明の課題は、衛生的であると共に、ホール内の異常事態及び／又は所望の音楽を遊戯者に確実に伝えることができるホール用チェア及びホール管理システムを提供することである。
【０００８】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、遊戯台が所定方向に複数配置されたホールで用いられ、前記遊戯台に対向して配置されるホール用チェアであって、前記ホール内に設けられた送信器（７０）からの信号であって、前記ホール内の異常事態を示す第１信号、及び／又は、音声情報を含む少なくとも１つのチャンネルを示す第２信号を受信する受信器（１１）と、前記第１信号又は前記第２信号を、音声に変換して出力するスピーカ（１３ａ，１３ｂ）と、前記第１信号及び／又は前記第２信号を前記受信器（１１）が受信した場合に、前記第１信号を優先して前記スピーカ（１３ａ，１３ｂ）に出力する制御部（３１）と、を備えたこと、を特徴とするホール用チェアである。
【０００９】
請求項２の発明は、請求項１に記載のホール用チェアにおいて、遊戯者が着座するときに、遊戯者の姿勢を規制するための背部（４０）をさらに備え、前記スピーカ（１３ａ，１３ｂ）は、前記背部（４０）に設けられ、遊戯者に向かって音声を出力すること、を特徴とするホール用チェアである。
【００１０】
請求項３の発明は、請求項１又は請求項２に記載のホール用チェアにおいて、電力を供給するための少なくとも１つのバッテリ（１４ａ，１４ｂ）をさらに備え、前記バッテリ（１４ａ，１４ｂ）は、充電及び／又は着脱可能であること、を特徴とするホール用チェアである。
【００１１】
請求項４の発明は、請求項３に記載のホール用チェアにおいて、前記バッテリ（１４ａ，１４ｂ）は、遊戯者が着座するための座部（３０）の下端付近に設けられたこと、を特徴とするホール用チェアである。
【００１２】
請求項５の発明は、請求項４に記載のホール用チェアにおいて、前記座部（３０）に加わる荷重に応じて、その状態を変化させる荷重検出部（１９）をさらに備え、前記制御部（３１）は、前記荷重検出部（１９）の状態の変化により、前記遊戯台の使用又は未使用を判定して、前記遊戯台が未使用の場合に、前記バッテリ（１４ａ，１４ｂ）の消費電力を小さくすること、を特徴とするホール用チェアである。
【００１３】
請求項６の発明は、請求項３から請求項５までのいずれか１項に記載のホール用チェアにおいて、前記制御部（３１）は、前記バッテリ（１４ａ，１４ｂ）の充電状況に応じて、使用するバッテリを自動的に切替えること、を特徴とするホール用チェアである。
【００１４】
請求項７の発明は、請求項３から請求項６までのいずれか１項に記載のホール用チェアにおいて、前記バッテリ（１４ａ，１４ｂ）の充電状況に応じて、発光の点滅パターン及び／又は色を変化させる発光部（１０）をさらに備えたこと、を特徴とするホール用チェアである。
【００１５】
請求項８の発明は、請求項７に記載のホール用チェアにおいて、前記発光部（１０）は、前記受信器（１１）が前記第１信号を受信した場合に、発光の点滅パターン及び／又は色により、遊戯者を誘導するための誘導方向を変化させること、を特徴とするホール用チェアである。
【００１６】
請求項９の発明は、請求項１から請求項８までのいずれか１項に記載のホール用チェアにおいて、前記第２信号のチャンネルを指示するためのチャンネル選択部（２５）と、前記チャンネル選択部（２５）により指示されたチャンネルを表示するための表示部（２３）と、を有する操作部（２０）をさらに備えたこと、を特徴とするホール用チェアである。
【００１７】
請求項１０の発明は、請求項１から請求項９までのいずれか１項に記載のホール用チェアが配置されたホールを管理するためのホール管理システムであって、外部操作により前記第１信号を発生させるための切換部（６０）と、前記第２信号を記憶すると共に、前記第１信号及び／又は前記第２信号を、前記送信器（７０）に出力する信号配信器（６１）と、を備えたホール管理システムである。
【００１８】
【発明の実施の形態】
以下、図面等を参照しながら、本発明の実施形態について、更に詳しく説明する。
図１は、本発明によるホール用チェア１００の実施形態を示す図である。なお、図１（ａ）は、ホール用チェア１００の正面図、同じく、図１（ｂ）は、ホール用チェア１００の側面図である。本明細書中、ホールとは、パチンコ、パチスロ等の各種遊戯台が所定方向（例えば、横方向）に複数配置されている集会場、大広間等（例えば、パチンコホール）をいう。
ホール用チェア１００は、例えば、ホールで用いられ、不図示の各種遊戯台に対向して適宜配置可能なチェアであって、脚部５０と、脚部５０に設けられた座部３０と、座部３０に設けられた背部４０等とを備えている。背部４０は、遊戯者が着座するときに、遊戯者の姿勢を規制するためのものであって、例えば、発光体１０と、受信器１１と、アンテナ１２と、スピーカ１３ａ，１３ｂ等とを備えている。
【００１９】
座部３０は、遊戯者が着座するためのものであって、脚部５０に回転可能に設けられている。座部３０は、例えば、バッテリ１４ａ，１４ｂと、荷重検出器１９等とを備えている。荷重検出部１９は、座部３０に加わる荷重（遊戯者の重量等）に応じて、その状態を変化させる検出部である。また、座部３０の下端近傍から延設された肘掛３３には、操作パネル２０が着脱可能に設けられている。
【００２０】
以下、各部材の機能等について詳しく説明する。
受信器１１は、ホール内に設けられた後述する送信器７０から送信される少なくとも２種類の信号を、アンテナ１２を介して受信する。送信器７０から送信される信号としては、例えば、ホール内の異常事態、緊急事態等を示す緊急信号と、周波数帯域毎のチャンネルに含まれる音楽等の音声信号と、ホール管理者等からの場内アナウンスとがある。
スピーカ１３ａ，１３ｂは、背部４０に設けられ、受信器１１が受信した信号を音声に変換して、遊戯者に向って音声を出力する。スピーカ１３ａ，１３ｂは、例えば、遊戯者が座部３０に着座して背部４０にもたれたときに、遊戯者の耳付近に向って音声を出力するように、互いに所定距離を隔てて配置されている。また、スピーカ１３ａ，１３ｂは、背部４０に対して角度調節可能に設けられており、遊戯者は、スピーカ１３ａ，１３ｂの向きを適宜変更することができる。
スピーカ１３ａ，１３ｂは、ヘッドホン又はイヤホン等のように遊戯者に直接接触するのではなく、背部４０に設けられているので、遊戯者が遊戯を終了した後、他の遊戯者が着座した場合であっても、衛生上の観点から問題は生じない。
【００２１】
つぎに、バッテリ１４ａ，１４ｂについて説明する。
バッテリ１４ａ，１４ｂは、座部３０の下端付近に設けられており（例えば、内蔵されており）、上述した各部材に電力を供給するためのものであって、充電式であり、かつ、着脱可能である。座部３０に内蔵されたバッテリ１４ａ，１４ｂを電力源として、各部材は正常に機能することができる。
【００２２】
バッテリ１４ａ，１４ｂによれば、ホール内に電力源を確保するための配線を設けることなく、電力源を確保することができる。バッテリ１４ａ，１４ｂは、座部３０の下部に設けられたスペース等に配置されるので、遊戯を妨げる原因とならない。さらに、バッテリ１４ａ，１４ｂがスペース内に適切に配置されることにより、ホール用チェア１００のデザインやサイズを変更する必要がないので、ホール用チェア１００は、ホール内での既設の狭い通路にも配置することができる。
【００２３】
バッテリ１４ａ，１４ｂは、充電式であるので、ランニングコストを抑えることができる。この充電式のバッテリ１４ａ，１４ｂは、上述したスペースから充電が必要なバッテリのみを脱着して、充電の完了した他のバッテリと交換することにより、上述した各部材の性能を維持することができる。
【００２４】
図２は、本発明によるホール用チェア１００の実施形態を示すブロック図である。なお、上述した部材と同一部材には同一符号を付し、重複部分についての説明を適宜省略する。
ホール用チェア１００は、操作パネル２０に配置され、遊戯者等による外部操作によって操作されるスイッチであるスピーカＳＷ２１、全機能停止ＳＷ２２及びチャンネル選択ＳＷ２５と、荷重検出部１９と、制御部３１と、記憶部３２と、発光体１０と、スピーカ１３ａ，１３ｂと、バッテリ１４ａ，１４ｂと、ホール内に配置された送信器７０と無線又は有線により通信可能な受信器１１等とを備えている。また、上述した各部材は、制御部３１を介して電気的に接続されている。
【００２５】
スピーカＳＷ２１は、スピーカ１３ａ，１３ｂを起動するものである。全機能停止ＳＷ２２は、上述した各部材等による各種機能を停止するためのものである。チャンネル選択ＳＷ２５は、音楽等の音楽情報が含まれるチャンネルを選択するためのものである。
【００２６】
記憶部３２は、例えば、不揮発性メモリであって、バッテリ１４ａ，１４ｂの電力、及び、後述する発光体１０の点滅パターン及び／又は色に関する情報等の各種情報が書き込まれている。これにより、全機能停止ＳＷ２２の操作によってホール用チェア１００内の電源がＯＦＦになっても、各種情報は消去されずに記憶されている。
【００２７】
制御部３１は、ホール内の異常事態、緊急事態等を示す緊急信号と、周波数帯域毎のチャンネルに含まれる音楽等の音声信号とを、受信器１１が受信した場合には、スピーカ１３ａ，１３ｂに緊急信号を優先して出力する。また、制御部３１は、緊急信号を出力した後に、ホール管理者等からの場内アナウンスを、スピーカ１３ａ，１３ｂに出力することもできる。
制御部３１は、荷重検出部１９の状態の変化により、遊戯台の使用又は未使用（遊戯者が着座しているか否か）を判定する。制御部３１は、遊戯台が未使用と判定した場合に、バッテリ１４ａ，１４ｂの消費電力を小さくする。
制御部３１は、記憶部３２に記憶されたバッテリ１４ａ，１４ｂの電力に関するしきい値と、現在のバッテリ１４ａ，１４ｂの少なくとも一方の電力とを比較して、現在の電力がしきい値よりも小さくなった場合に、使用するバッテリ１４ａ，１４ｂを自動的に切替える。
【００２８】
発光体１０は、遊戯者（又は、ホール管理者）等が視認できるように背部４０の上部付近に設けられており、例えば、制御部３１の指示により、点滅パターン及び／又は色を変化させることにより、バッテリ１４ａ，１４ｂに充電が必要なことをホール管理者に通知したり、又は、遊戯者を安全な場所（例えば、ホールの外等）に誘導するための誘導方向を遊戯者に知らせることができる（後述）。
【００２９】
図３は、ホール内の危機管理システムを示す概略図である。なお、ホール内の危機管理システムとは、例えば、多数の遊戯者が来場するホールで発生することが想定される火災等の緊急事態に対処するためのものである。
ホール付近には、ホール管理者等が待機しており、緊急事態に対処するために遊戯者等に適宜の指示を与えるホール管理室８０が備えられている。ホール管理室８０は、例えば、誘導ボタン６０と、音声配信器６１と、ホール音響部６２と、蓄電池６３と、マイク６４等とを備えている。なお、これらの各部材は、音声配信器６１を介して電気的に接続されている。
【００３０】
マイク６４は、ホール管理者等による場内アナウンスを行うためのものである。ホール音響部６２は、例えば、マイク６４からの音声信号を増幅して、音声配信器６１に出力する。誘導ボタン６０は、ホール管理者等による外部操作により操作される切換部であって、ここでは、ホール管理者等が緊急信号を遊戯者に伝えるために操作される。
蓄電池６３は、音声配信器６１に接続されており、例えば、ホール内の異常事態等でホール管理室８０が停電になったとしても、ホール管理室８０に含まれる各部材は、正常に機能することができる。
【００３１】
音声配信器６１は、誘導ボタン６０から得られる操作信号（緊急信号）と、ホール音響部６２からの場内アナウンスと、適宜のメモリに記憶された複数のチャンネルに含まれる音声信号とを、ホール内に配置された送信器７０に無線又は有線で出力する。
送信器７０は、ホール内に複数設けられ（ここでは、送信器７０−１，７０−２，７０−３）、複数のチャンネルに対応している。ただし、誘導ボタン６０が操作された（押下げられた）場合には、各送信器７０−１，７０−２，７０−３には、音声配信器６１から緊急信号が出力される。
【００３２】
制御部３１は、遊戯者が所望のチャンネルを選択して、音楽等を聞いている場合であっても、受信器１１が緊急信号を受信したときには、直ちに緊急信号を優先して、スピーカ１３ａ，１３ｂに出力する。これにより、ホール内の異常事態を遊戯者に確実に伝えることができる。
制御部３１は、例えば、遊戯者の選択したチャンネルに関わらず、マイク６１からの場内アナウンス（例えば、遊戯者の誘導するための音声）を、スピーカ１３ａ，１３ｂに出力することもできる。
発光部１０は、受信器１１が誘導ボタン６０から得られる緊急信号を受信した場合に、制御部３１の指示に応じて、発光の点滅パターン及び／又は色を変化させる。これにより、遊戯者を安全な場所（例えば、ホールの外等）に誘導するための誘導方向を示すことができる。
【００３３】
図４は、発光体１０の誘導パターンと誘導方向を示す図である。なお、図中（ａ）、（ｂ）及び（ｃ）は、誘導パターン及び誘導方向の時系列の変化を示している。
発光体１０は、例えば、所定方向（ここでは、横方向）に複数配置された発光部１０ａを備えている。発光部１０ａは、所定の時間間隔を経てそれぞれ発光して、遊戯者を誘導するための誘導方向を示す。また、発光部１０ａは、色の種類、発光量（明るさ）を適宜設定できるので、連続した発光部１０ａの発光によれば、色の種類、明るさが連続的に変化しているように、遊戯者に視覚的に示すことができる。ここでは、発光部１０ａは、図中（ａ）、（ｂ）及び（ｃ）と、矢印とに示すように右から左へ順番に発光するので、遊戯者は、発光体１０を視認することで、誘導方向が左方向であることを容易に認識することができる。
【００３４】
これにより、発光体１０は、いわゆる誘導方向（避難方向）を示す誘導灯として機能することができる。また、記憶部３２には、発光体１０の点滅パターン及び／又は色に関する情報が記憶されているので、制御部３１は、この情報に基づいて、発光体１０の誘導方向の設定を適宜行うことができる。このため、複数の遊戯台に対向して配置されたホール用チェア１００の配置場所に応じて、最適な誘導方向を遊戯者に示すことができる。
【００３５】
図５は、発光体１０によるバッテリ残量を示す点滅パターンを示す図である。
発光部１０は、バッテリ１４ａ，１４ｂの充電状況に応じて、制御部３１の指示により、発光の点滅パターン及び／又は色を変化させる。
バッテリ１４ａ，１４ｂは、座部３０の下端付近のスペースに複数（例えば、２つ）配置しており、制御部３１の指示により、使用中（１つ目）のバッテリ１４ａのバッテリ残量が少なくなった場合に、ただちに未使用（２つ目又は充電済み）のバッテリ１４ｂを使用するように自動で切り替わる。
【００３６】
使用中（１つ目）のバッテリ１４ａのバッテリ残量が少なくなった場合には、発光体１０は、例えば、図示のように、複数の発光部１０ａを全て点滅することにより、バッテリ１４ａに充電が必要であることをホール管理者に視覚的に伝えることができる。また、未使用のバッテリ１４ｂに自動で切り替った場合、又は、使用中のバッテリ１４ａと未使用の適宜のバッテリとを交換した場合には、発光体１０の点滅は、自動的に復旧する。
【００３７】
図６は、操作パネル２０の拡大図である。
操作パネル２０は、座部３０から延設された肘掛３３から着脱可能に設けられており、例えば、スピーカＳＷ２１と、全機能停止ＳＷ２２と、選択チャンネル表示部２３と、硬貨口２４と、チャンネル選択ボタン２５等とを備えている。
選択チャンネル表示部２３は、例えば、液晶等の表示部であって、所望の音声情報を含むチャンネルが送信器７０から送信（放送）されているかを示す放送サービス告知モニタ２３ａと、バッテリの低下等を警告するためのバッテリ警告灯２３ｂとを有する。硬貨口２４は、遊戯者がスピーカ１３ａ，１３ｂを起動させる場合に適宜の料金を支払うための支払い口である。
【００３８】
操作パネル２０は、肘掛３３に設けられているので、遊戯者は着座したまま手元で操作を行うことができる。操作パネル２０は、肘掛３３から着脱可能であるので、例えば、ホール用チェア１００の適宜のスペースに折畳んで収納することもできる。
【００３９】
本実施形態によれば、（１）遊戯者が音声情報を含む所望のチャンネルを選択して音楽等を聞いている場合であっても、誘導ボタン６０から得られるホール内の異常事態を示す緊急信号を、受信器１１が受信したときに、制御部３１は、緊急信号を優先してスピーカ１３ａ，１３ｂに出力するので、ホール内の異常事態を遊戯者に確実に伝えることができる。
【００４０】
（２）スピーカ１３ａ，１３ｂは、ヘッドホン又はイヤホン等のように遊戯者に直接接触するのではなく、背部４０に設けられているので、遊戯者が遊戯を終了した後、他の遊戯者が着座した場合であっても、衛生的に使用することができる。
（３）制御部３１の指示により、発光体１０の点滅パターン及び／又は色が変化するので、バッテリ１４ａ，１４ｂに充電が必要なことをホール管理者に通知したり、又は、遊戯者を安全な場所に誘導するための誘導方向を遊戯者に知らせることができる。
（４）荷重検出部１９の状態の変化により、遊戯台の使用又は未使用が判定され、遊戯台が未使用と判定された場合には、バッテリ１４ａ，１４ｂの消費電力を小さくすることができる。
（５）ホール内の商用電力源の代わりに、バッテリ１４ａ，１４ｂを用いたので、ホール内に電力源を確保するための配線を設けることなく、電力源を確保することができる。
（６）ランニングコストを抑えるために充電式のバッテリ１４ａ，１４ｂを使用して、充電が必要なバッテリのみを脱着して、充電の完了したバッテリと交換することにより、スピーカ１３ａ，１３ｂ等の性能を維持することができる。
【００４１】
（変形形態）
以上説明した実施形態に限定されることなく、種々の変形や変更が可能であって、それらも本発明の均等の範囲である。
（１）ホール内で発生した異常事態を遊戯者に知らせる手段として、スピーカ１３ａ，１３ｂから出力される音声、発光体１０による点滅パターン、色等を用いたが、これに限られず、上述した座部３０及び／又は背部４０に、受信器１１からの信号に応じて振動する振動部を設けるようにしてもよい。
【００４２】
（２）送信器７０は、ホール内に設置され、誘導ボタン６０からの外装操作信号に応じて、受信器１１に緊急信号を送信していたが、これに限られず、誘導ボタン６０の機能を付加した送信器７０を、ホール管理室８０に設置してもよい。これにより、ホール管理室８０から受信器１１に緊急信号を直接送信することができる。
【００４３】
（３）バッテリ１４ａ，１４ｂにより、ホール用チェア１００に含まれる各部材に電力を供給していたが、ホール内で商用電力源の確保が可能であれば、バッテリ１４ａ，１４ｂを用いることなく、スピーカ１３ａ，１３ｂの性能を維持するようにしてもよい。
【００４４】
（４）上述した実施形態では、ホールとしてパチンコホールについて説明したが、これに限られず、遊戯者同士が隣り合って遊戯を行う場所（例えば、ゲームセンター等）に、本実施形態でのホール用チェア１００を適用してもよい。
【００４５】
【発明の効果】
以上詳しく説明したように、（１）ホール内の異常事態を示す第１信号、及び／又は、音声情報を含む少なくとも１つのチャンネルを示す第２信号を、受信器が受信したときに、制御部は、第１信号を優先してスピーカに出力するので、ホール内の異常事態を遊戯者に確実に伝えることができる。
【００４６】
（２）スピーカは、遊戯者が着座するときに、遊戯者の姿勢を規制するための背部に設けられ、遊戯者に向って音声を出力するので、遊戯者は、衛生的に遊戯を行うことができ、さらに、スピーカから出力される音声を確実に聞くことができる。
【００４７】
（３）電力を供給するための少なくとも１つのバッテリは、充電及び／又は着脱可能であるので、バッテリ残量が少なくなると適宜交換又は充電することができる。
【００４８】
（４）バッテリは、遊戯者が着座するための座部の下端付近に設けられたので、遊戯を中断することなくバッテリの交換を行うことができ、さらに、ホール用チェアのサイズ等を変更する必要がないので、既設の狭い通路等にホール用チェアを配置することができる。
【００４９】
（５）制御部は、座部に加わる荷重に応じて、その状態を変化させる荷重検出部の状態の変化により、遊戯台の使用又は未使用を判定して、遊戯台が未使用の場合に、バッテリの消費電力を小さくするので、バッテリの電力を効率良く利用することができる。
【００５０】
（６）制御部は、バッテリの充電状況に応じて、使用するバッテリを自動的に切替えるので、スピーカからの音声出力等の性能を維持することができる。
【００５１】
（７）発光部は、バッテリの充電状況に応じて、発光の点滅パターン及び／又は色を変化させるので、ホール管理者にバッテリの交換時期を容易に認識させることができる。
【００５２】
（８）発光部は、ホール内の異常事態を示す第１信号を受信器が受信した場合に、発光の点滅パターン及び／又は色により、遊戯者を誘導するための誘導方向を変化させるので、遊戯者を安全な場所に迅速に誘導することができる。
【００５３】
（９）操作部は、第２信号のチャンネルを指示するためのチャンネル選択部と、チャンネル選択部により指示されたチャンネルを表示するための表示部と、を有するので、遊戯者は、指示したチャンネルに含まれる音声情報を聞きながら、チャンネルを視認することができる。
【００５４】
（１０）ホール管理システムは、外部操作により第１信号を発生させるための切換部と、第２信号を記憶すると共に、第１信号及び／又は第２信号を、送信器に出力する信号配信器とを備えるので、ホール管理者は、ホール内の異常事態を遊戯者に確実に伝えることができる。
【図面の簡単な説明】
【図１】本発明によるホール用チェア１００の実施形態を示す図である。
【図２】本発明によるホール用チェア１００の実施形態を示すブロック図である。
【図３】ホール内の危機管理システムを示す概略図である。
【図４】発光体１０の誘導パターンと誘導方向を示す図である。
【図５】発光体１０によるバッテリ残量を示す点滅パターンを示す図である。
【図６】操作パネル２０の拡大図である。
【符号の説明】
１０  発光体
１１  受信器
１２  アンテナ
１３ａ，１３ｂ  スピーカ
１４ａ，１４ｂ  バッテリ
１９  荷重検出器
２０  操作パネル
２３  選択チャンネル表示部
２５  チャンネル選択ＳＷ
３０  座部
３１  制御部
３２  記憶部
３３  肘掛
４０  背部
５０  脚部
６０  誘導ボタン
６１  音声配信器
６２  ホール音響部
７０  送信器
８０  ホール管理室
１００  ホール用チェア
【図１】
2004321214.tif 000003
【図２】
2004321214.tif 000004
【図３】
2004321214.tif 000005
【図４】
2004321214.tif 000006
【図５】
2004321214.tif 000007
【図６】
2004321214.tif 000008